【手続補正書】
【提出日】平成16年4月27日(2004.4.27)
【手続補正１】
【補正対象書類名】明細書
【補正対象項目名】特許請求の範囲
【補正方法】変更
【補正の内容】
【特許請求の範囲】
【請求項１】
情報信号から付加情報を読み出す読み出し手段と、
前記読み出し手段で読み出した前記付加情報に基づいて、新たな付加情報を生成する付加情報生成手段と、
前記付加情報生成手段からの前記新たな付加情報をスペクトラム拡散する拡散手段と、
前記拡散手段によりスペクトラム拡散された前記新たな付加情報を前記情報信号に重畳する重畳手段と、
前記重畳手段の出力情報を出力する出力手段と
を備えることを特徴とする情報信号出力装置。
【請求項２】
前記付加情報生成手段からの前記新たな付加情報を前記情報信号に対して付加する付加手段を備え、
前記出力手段は、前記付加手段により付加される前記新たな付加情報と、前記重畳手段により重畳されるスペクトラム拡散された前記新たな付加情報とを含む情報信号を出力することを特徴とする請求項１に記載の情報信号出力装置。
【請求項３】
スペクトラム拡散された付加情報が重畳されている情報信号から前記付加情報を読み出す読み出し手段と、
前記読み出し手段で読み出した前記付加情報に基づいて、新たな付加情報を生成する付加情報生成手段と、
前記付加情報生成手段からの前記新たな付加情報を前記情報信号に対して付加する付加手段と、
前記付加手段の出力情報を出力する出力手段と
を備えることを特徴とする情報信号出力装置。
【請求項４】
前記付加情報生成手段からの前記新たな付加情報をスペクトラム拡散する拡散手段と、
前記拡散手段によりスペクトラム拡散された前記新たな付加情報を前記情報信号に重畳する重畳手段とを備え、
前記出力手段は、前記付加手段により付加される前記新たな付加情報と、前記重畳手段により重畳されるスペクトラム拡散された前記新たな付加情報とを含む情報信号を出力することを特徴とする請求項３に記載の情報信号出力装置。
【請求項５】
スペクトラム拡散されて情報信号に重畳される付加情報は、前記情報信号のダイナミックレンジ分よりも低いレベルの低い信号電力で重畳されることを特徴とする請求項１または請求項４に記載の情報信号出力装置。
【請求項６】
前記情報信号中から再生したクロック信号を用いて、前記スペクトラム拡散のための拡散符号が生成され、
前記情報信号中から再生したクロック信号を用いて、前記拡散符号の検出を行うことができるようにしたことを特徴とする請求項１または請求項４に記載の情報信号出力装置。
【請求項７】
記録媒体に記録されている情報信号を読み出して再生する再生手段と、
前記再生手段により再生された情報信号から、これに付加されている付加情報を読み出す読み出し手段と、
前記読み出し手段で読み出した前記付加情報に基づいて、新たな付加情報を生成する付加情報生成手段と、
前記付加情報生成手段からの前記新たな付加情報をスペクトラム拡散する拡散手段と、
前記拡散手段によりスペクトラム拡散された前記新たな付加情報を前記情報信号に重畳する重畳手段と、
前記重畳手段の出力情報を出力する出力手段と
を備えることを特徴とする情報信号再生装置。
【請求項８】
前記付加情報生成手段からの前記新たな付加情報を前記情報信号に対して付加する付加手段を備え、
前記出力手段は、前記付加手段により付加される前記新たな付加情報と、前記重畳手段により重畳されるスペクトラム拡散された前記新たな付加情報とを含む情報信号を出力することを特徴とする請求項７に記載の情報信号再生装置。
【請求項９】
スペクトラム拡散された付加情報が重畳された情報信号が記録されている記録媒体から、前記情報信号を読み出して再生する再生手段と、
前記再生手段により再生された前記情報信号から、これにスペクトラム拡散されて重畳されている前記付加情報を読み出す読み出し手段と、
前記読み出し手段で読み出した前記付加情報に基づいて、新たな付加情報を生成する付加情報生成手段と、
前記付加情報生成手段からの前記新たな付加情報を出力する前記情報信号に対して付加する付加手段と、
前記付加手段の出力情報を出力する出力手段と
を備えることを特徴とする情報信号再生装置。
【請求項１０】
前記付加情報生成手段からの前記新たな付加情報をスペクトラム拡散する拡散手段と、
前記拡散手段によりスペクトラム拡散された前記新たな付加情報を前記情報信号に重畳する重畳手段とを備え、
前記出力手段は、前記付加手段により付加される前記新たな付加情報と、前記重畳手段により重畳されるスペクトラム拡散された前記新たな付加情報とを含む情報信号を出力することを特徴とする請求項９に記載の情報信号再生装置。
【請求項１１】
付加情報が付加されている情報信号から、前記付加情報を読み出す読み出し工程と、
前記読み出し工程で読み出した前記付加情報に基づいて、新たな付加情報を生成する付加情報生成工程と、
前記付加情報生成工程からの前記新たな付加情報をスペクトラム拡散する拡散工程と、
前記拡散工程によりスペクトラム拡散された前記新たな付加情報を前記情報信号に重畳する重畳工程と、
前記重畳工程の出力情報を出力する出力工程と
を備えることを特徴とする情報信号出力方法。
【請求項１２】
スペクトラム拡散された付加情報が重畳されている情報信号から前記付加情報を読み出す読み出し工程と、
前記読み出し工程で読み出した前記付加情報に基づいて、新たな付加情報を生成する付加情報生成工程と、
前記付加情報生成工程からの前記新たな付加情報を前記情報信号に対して付加する付加工程と、
前記付加工程の出力情報を出力する出力工程と
を備えることを特徴とする情報信号出力方法。
【請求項１３】
記録媒体に記録されている情報信号を読み出して再生する再生工程と、
前記再生工程により前記記録媒体から再生された情報信号から、これに付加されている付加情報を読み出す読み出し工程と、
前記読み出し工程で読み出した前記付加情報に基づいて、新たな付加情報を生成する付加情報生成工程と、
前記付加情報生成工程からの前記新たな付加情報をスペクトラム拡散する拡散工程と、
前記拡散工程によりスペクトラム拡散された前記新たな付加情報を前記情報信号に重畳する重畳工程と、
前記重畳工程の出力情報を出力する出力工程と
を備えることを特徴とする情報信号再生方法。
【請求項１４】
スペクトラム拡散された付加情報が重畳された情報信号が記録されている記録媒体から、前記情報信号を読み出して再生する再生工程と、
前記再生工程により再生された前記情報信号から、これにスペクトラム拡散されて重畳されている前記付加情報を読み出す読み出し工程と、
前記読み出し工程で読み出した前記付加情報に基づいて、新たな付加情報を生成する付加情報生成工程と、
前記付加情報生成工程からの前記新たな付加情報を出力する前記情報信号に対して付加する付加工程と、
前記付加工程の出力情報を出力する出力工程と
を備えることを特徴とする情報信号再生方法。
【手続補正２】
【補正対象書類名】明細書
【補正対象項目名】００３０
【補正方法】変更
【補正の内容】
【００３０】
また、請求項５に記載の発明の情報信号出力装置は、請求項１または請求項４に記載の情報信号出力装置であって、
スペクトラム拡散されて前記情報信号に重畳される前記付加情報は、前記情報信号のダイナミックレンジ分よりも低いレベルの低い信号電力で重畳されることを特徴とする。
【手続補正３】
【補正対象書類名】明細書
【補正対象項目名】００３１
【補正方法】変更
【補正の内容】
【００３１】
この請求項５に記載の発明の情報信号出力装置によれば、スペクトラム拡散された付加情報は、低信号レベルで情報信号に重畳される。したがって、情報信号に重畳されるスペクトラム拡散された付加情報が、当該情報信号を劣化させるなど、情報信号に対して影響を及ぼすことがない。
【手続補正４】
【補正対象書類名】明細書
【補正対象項目名】００３２
【補正方法】変更
【補正の内容】
【００３２】
また、請求項６に記載の発明の情報信号出力装置は、請求項１または請求項４に記載の情報信号出力装置であって、
前記情報信号中から再生したクロック信号を用いて、前記スペクトラム拡散のための拡散符号が生成され、
前記情報信号中から再生したクロック信号を用いて、前記拡散符号の検出を行うことができるようにされることを特徴とする。
【手続補正５】
【補正対象書類名】明細書
【補正対象項目名】００３３
【補正方法】変更
【補正の内容】
【００３３】
この請求項６に記載の発明の情報信号出力装置によれば、スペクトラム拡散に用いられる拡散符号の生成には、スペクトラム拡散された付加情報が重畳される情報信号から再生されるクロック信号が用いられる。
【手続補正６】
【補正対象書類名】明細書
【補正対象項目名】０１５７
【補正方法】削除
【補正の内容】
【手続補正７】
【補正対象書類名】明細書
【補正対象項目名】０１５８
【補正方法】変更
【補正の内容】
【０１５８】
また、請求項５に記載の発明の情報信号出力装置によれば、スペクトラム拡散された付加情報は、低信号レベルで情報信号に重畳されるため、付加情報が、当該情報信号を劣化させるなど、情報信号に対して影響を及ぼすことがないようにすることができる。
【手続補正８】
【補正対象書類名】明細書
【補正対象項目名】０１５９
【補正方法】変更
【補正の内容】
【０１５９】
また、請求項６に記載の発明の情報信号出力装置によれば、スペクトラム逆拡散時においては、付加情報をスペクトラム拡散している拡散符号と、スペクトラム逆拡散のための拡散符号との同期を素早く合わせて、迅速に付加情報を抽出することができる。